(57)【要約】【課題】  外部電源により動作する無線通信端末におけるイベントログの収集にあたり、内部時計用の二次電池やバックアップ電源を設けずとも、外部電源の投入後に外部（現実世界）の時間軸の情報の無線受信を待つことなく、イベントの発生時間をイベントログに記録可能にする。【解決手段】  計時部１４は、外部電源の投入を基準にした時間軸で計時動作を開始しており、生成部１５が、自己の端末におけるイベントの発生に応じて、当該イベントの情報と当該イベントの発生時に計時部１４により計時される内部時間とを記録したイベントログを生成する。記憶部１６は、生成部１５により生成されたイベントログを蓄積しており、送信部１２が、記憶部１６に蓄積されているイベントログを外部からの指示に従って無線送信する。【選択図】  図２
2009081764.tif 000002
【特許請求の範囲】
【請求項１】
外部電源により動作する無線通信端末であって、
外部電源の投入を基準にした時間軸で計時動作を行う計時手段と、
自己の端末におけるイベントの発生に応じて、当該イベントの情報と当該イベントの発生時に前記計時手段により計時されるイベント発生時間とを記録したイベントログを生成する生成手段と、
前記生成されたイベントログを記憶する記憶手段と、
前記記憶手段に記憶されているイベントログを外部からの指示に従って出力する出力手段と、
を備えたことを特徴とする無線通信端末。
【請求項２】
請求項１に記載の無線通信端末において、
基地局の時間軸で計時される基地局時間を当該基地局から無線通信により取得する取得手段と、
前記取得した基地局時間とその取得時に前記計時手段により計時される取得時間とを対応付ける対応付け手段と、を更に備え、
前記出力手段は、前記対応付けに基づいて、基地局時間軸におけるイベント発生時間に係るイベントログの情報を出力することを特徴とする無線通信端末。
【請求項３】
請求項１又は請求項２に記載の無線通信端末において、
前記出力手段は、イベントログの出力処理を、基地局を介した無線通信による管理装置からの指示に従って当該管理装置に対して行うことを特徴とする無線通信端末。
【発明の詳細な説明】
【技術分野】
【０００１】
本発明は、外部電源により動作する無線通信端末に関し、特に、当該無線通信端末におけるイベントログを収集する技術に関する。
【背景技術】
【０００２】
従来、或る機器（以下「外部機器」）に無線通信端末を接続し、当該無線通信端末を利用した無線通信により外部機器と他の機器とのデータ通信が行われている。
このような外部機器に接続される無線通信端末に係る発明として、例えば、第二世代の無線通信機から第三世代の無線通信機へ置き換えた場合に、無線通信機が接続される外部機器のソフトウェアを修正することなく、第三世代の無線通信機で的確に回線交換方式とパケット交換方式を判断して接続できる無線通信機の提供を実現するための発明が提案されている（特許文献１参照）。
【特許文献１】特開２００６−２２２４９１号公報
【発明の開示】
【発明が解決しようとする課題】
【０００３】
無線通信端末が、自己の端末において発生したイベントの情報とその発生時間とを記録したイベントログを収集する際に、端末自体が有する内部時計（例えばＲＴＣ（Real Time Clock））からイベントの発生時間を取得することが行われている。
通常、内部時計は外部（現実世界）の時間軸に合わせてあり、外部時間軸に沿った計時動作を無線通信端末の電源が切れた状態でも内部時計に持続させるために、無線通信端末の電源とは別に内部時計用の二次電池を内蔵したり、外部のバックアップ電源から内部時計へ電力供給する等が行われている。
【０００４】
一般に、無線通信端末は外部電源（例えば接続先の外部機器）から電力供給を受けて動作を行っているが、無線通信端末の小型化等の観点から内部時計用の二次電池やバックアップ電源を設けずに、無線通信端末の電源（すなわち外部電源）により内部時計を動作させることが考えられている。
【０００５】
しかしながら、内部時計を外部電源により動作させる場合、外部電源が切れている間は内部時計も停止することから、外部電源の投入後に、外部時間軸に沿った計時動作を内部時計に行わせるための外部時間軸の情報を基地局側から無線受信して、外部時間軸の情報に基づいて内部時計に計時動作を開始させる必要がある。このため、外部電源の投入から外部時間軸の情報を無線受信して内部時計が計時動作を開始するまでの期間は内部時計から時間を取得できず、イベントログにイベントの発生時間を記録できないという問題が生じる。
【０００６】
本発明は、上記従来の事情に鑑みなされたものであり、外部電源により動作する無線通信端末におけるイベントログの収集にあたり、内部時計用の二次電池やバックアップ電源を設けずとも、外部電源の投入後に外部時間軸の情報の無線受信を待つことなく、イベントの発生時間をイベントログに記録可能にすることを目的としている。
【課題を解決するための手段】
【０００７】
本発明は、外部電源により動作する無線通信端末であって、外部電源の投入を基準にした時間軸で計時動作を行う計時手段と、自己の端末におけるイベントの発生に応じて、当該イベントの情報と当該イベントの発生時に前記計時手段により計時されるイベント発生時間とを記録したイベントログを生成する生成手段と、前記生成されたイベントログを記憶する記憶手段と、前記記憶手段に記憶されているイベントログを外部からの指示に従って出力する出力手段と、を備えたことを特徴としている。
すなわち、本発明では、外部電源の投入を基準にした時間軸で計時される内部時間、すなわち、動作開始時（電源投入時或いは電源投入に伴うＣＰＵ起動時）からの相対時間をイベント発生時間として扱うため、外部時間軸の情報の無線受信を待つことなくイベント発生時間をイベントログに記録することが可能となる。
【０００８】
ここで、無線通信端末に、基地局の時間軸で計時される基地局時間を当該基地局から無線通信により取得する取得手段と、前記取得した基地局時間とその取得時に前記計時手段により計時される取得時間とを対応付ける対応付け手段と、を更に備え、前記出力手段は、前記対応付けに基づいて、基地局時間軸におけるイベント発生時間に係るイベントログの情報を出力することが好ましい。
これにより、イベントログの出力を受けた装置側において、イベント発生時間を基地局時間軸（外部時間軸）で把握することが可能となる。
なお、前記出力手段は、前記対応付けに基づいて基地局時間軸に変換されたイベント発生時間を記録したイベントログを出力してもよく、或いは、前記対応付けた基地局時間と取得時間とを伴ってイベントログを出力してもよく、要は、イベントログの出力を受けた装置側がイベント発生時間を外部時間軸で把握できればよい。
【０００９】
また、前記出力手段は、イベントログの出力処理を、基地局を介した無線通信による管理装置からの指示に従って当該管理装置に対して行うようにしてもよい。
これにより、遠隔地に設置された外部機器に接続された無線通信端末からのイベントログの収集を容易に実現することが可能となる。
【発明の効果】
【００１０】
本発明によると、外部電源により動作する無線通信端末におけるイベントログの収集にあたり、内部時計用の二次電池やバックアップ電源を設けずとも、外部電源の投入後に外部時間軸の情報の無線受信を待つことなく、イベントの発生時間をイベントログに記録することができる。
【発明を実施するための最良の形態】
【００１１】
本発明を、以下に例示する一実施形態に基づいて具体的に説明する。
図１は、本発明に係る無線通信端末を用いて構成される無線通信システムの一例を概略的に示している。
【００１２】
本例の無線通信システムでは、外部機器の一例であるタバコの自動販売機２が、タバコ購入者の年齢制限を行うための購入者認証機能を実現すべく、当該機器に接続された無線通信端末１の無線通信機能を用いて、ネットワーク上の認証管理サーバ４との間で基地局３を介して購入者認証機能に係るデータを送受信する。
なお、無線通信端末１には、当該端末におけるイベントの発生に応じたイベントログ（電源ＯＮ、電源ＯＦＦ、発呼、着呼、データ送信、データ受信、リセット、電波強度、等の情報）が蓄積されており、無線通信端末１からイベントログを収集するログ管理サーバ５がネットワーク上に設けられている。
【００１３】
図２は、本例に係る無線通信端末１及び自動販売機（外部機器）２の機能ブロック図を例示している。
無線通信端末１は、外部電源としての自動販売機２から電力供給を受けて動作しており、無線信号を送受信するアンテナ１１、通信データを無線信号に変換してアンテナ１１により送信する送信部１２、アンテナ１１により受信した無線信号を変換して通信データを得る受信部１３、外部電源の投入を基準にした時間軸で計時動作を行う計時部１４、自己の端末におけるイベントの発生に応じて、当該イベントの情報と当該イベントの発生時に計時部１４により計時される内部時間とを記録したイベントログを生成する生成部１５、生成されたイベントログを記憶する記憶部１６、自動販売機２の入出力部２２との間でデータ通信を行う入出力部１７、各機能部１２〜１７の動作を制御する制御部１８、を備えている。
【００１４】
自動販売機２は、無線通信端末１に動作電力を供給する電源２１、無線通信端末１の入出力部１７との間でデータ通信を行う入出力部２２、当該機器における購入者認証機能に係るデータを記憶する記憶部２３、各種情報を利用者（購入者や管理者など）に提示するための液晶ディスプレイ等の表示部２４、利用者から操作指示を受け付けるためのボタンやタッチパネル等の操作部２５、購入者認証処理を行うと共に各機能部２２〜２５の動作を制御する制御部２６、を備えている。
本例では、無線通信端末１と自動販売機２との接続インタフェースとしてＲＳ−２３２Ｃを用いているが、ＵＳＢ（Universal Serial Bus）等の他の接続インターフェースを用いてもよい。
【００１５】
図３は、本例に係る無線通信端末１の起動時の処理フローを示している。
無線通信端末１は、電源の投入によりＣＰＵ（図示せず）が起動し（ステップＳ１、Ｓ２）、これに伴って計時部１４（内部時計）が計時動作を開始する。つまり、計時部１４は動作開始時を基準時にした時間軸で計時動作を行っており、動作開始時からの相対時間である内部時間が計時される。
その後、無線通信端末１は、Ａｔｔａｃｈ開始処理（ステップＳ３）、周辺セルサーチ処理（ステップＳ４）、報知情報受信処理（ステップＳ５）、ネットワークサーバ時間受信処理（ステップＳ６）、Ａｔｔａｃｈ完了処理（ステップＳ７）などを行って、待受け状態に移行する（ステップＳ８）。
このとき、生成部１５は、上記各処理におけるイベントの発生に応じて、その発生時点の内部時間を計時部１４から取得し、当該イベントの情報及びその発生時間（内部時間）を記録したイベントログを生成して記憶部１６に記憶させる。
【００１６】
図４は、無線通信端末１の記憶部１６に蓄積されたイベントログを例示している。
すなわち、ＰＷＲＯＮイベント（動作開始時）が基準時であり、例えば、基準時から０．０９４秒後にＰＭＳＥＴイベントが発生し、基準時から４．６９５秒後にＧＥＴ＿ＳＹＳＩＮＦイベントが発生している。そして、このＧＥＴ＿ＳＹＳＩＮＦイベントにおいて、基地局３の時間軸で計時される基地局時間（ＮＷ  Ｔｉｍｅ）を基地局３から受信しており、当該イベントの発生時間（内部時間）に対応付けて記録されている。なお、同図によると、基準時から４．６９５秒の経過時点における基地局時間はｈ時１０分３０秒である。
【００１７】
このように、本例の無線通信端末１は、内部時計（計時部１４）用の二次電池等を有していないが、基地局時間を基地局３から無線受信する前の期間（本例では、基準時から４．６９５秒を経過する前まで）においても、イベントログにイベント発生時間（内部時間）を記録することを可能にしている。
【００１８】
本例の無線通信端末１は、ログ管理サーバ５から基地局３を介して無線受信するログ要求指示に従って、記憶部１６に蓄積されているイベントログをログ管理サーバ５に無線送信により出力する機能を有しており、このイベントログ出力処理について説明する。
【００１９】
無線通信端末１は、ログ要求指示をログ管理サーバ５から受信すると、図５に示すように、基地局時間を取得したＧＥＴ＿ＳＹＳＩＮＦイベントの発生時間（内部時間）と他の各イベントの発生時間（内部時間）との差分時間（Ｄｉｆｆｌ  Ｔｉｍｅ）を算出し、図６に示すように、前記取得した基地局時間に各イベントの差分時間を加算して、基地局時間軸における各イベントの発生時間（Ｒ  Ｔｉｍｅ）を算出する。そして、イベントログを、各イベントの発生時間（内部時間）を前記算出した基地局時間軸の時間に変換した内容でログ管理サーバ５に送信する。
つまり、本例の無線通信端末１によると、基地局時間軸に変換されたイベント発生時間を記録したイベントログがログ管理サーバ５に送信されるため、ログ管理サーバ５は、イベント発生時間を基地局時間軸（外部時間軸）で把握することができる。
【００２０】
なお、例えば、無線通信端末１が、基地局時間を取得した際に、その前に記録されているイベント発生時間を基地局時間軸に変換してイベントログを更新し、その後はイベントが発生する度にイベント発生時間を基地局時間軸に変換してイベントログに記録するようにしてもよい。また、例えば、無線通信端末１が、基地局時間を取得した際に、その前に記録されているイベント発生時間を基地局時間軸に変換してイベントログを更新すると共に、以降は基地局時間軸で計時部１４を動作させることで、その後に発生するイベント発生時間を基地局時間軸でイベントログに記録するようにしてもよい。
【００２１】
また、上記のように、無線通信端末１側でイベント発生時間を基地局時間軸に変換等する他、イベントログの出力を受けた装置側（例えばログ管理サーバ５）でイベント発生時間を基地局時間軸に変換するようにしてもよく、この場合は、無線通信端末１が、内部時間によるイベント発生時間を記録したイベントログと共に、取得した基地局時間とその取得時の内部時間とを対応付けて送信すればよい。
なお、イベントログの出力を受ける装置側で、イベント発生時間を基地局時間軸（外部時間軸）で把握する必要がなければ、無線通信端末１は内部時間によるイベント発生時間を記録したイベントログをそのまま送信すればよい。
【００２２】
また、本例では、ログ要求指示に応答してイベントログを送信しているが、例えば、ログ要求指示に設定されている間隔（例えば１時間毎）で定期的にイベントログを送信したり、ログ要求指示に設定されている日時にイベントログを送信するといったように、ログ要求指示の指示内容に従ってイベントログを送信することができる。
【００２３】
また、本例では、ログ管理サーバ５から無線受信したログ要求指示に従ってイベントログをログ管理サーバ５に無線送信しているが、無線通信端末１にケーブル等で有線接続された他の装置（自動販売機２等の外部機器を含む）からのログ要求指示に従ってイベントログを当該他の装置に送信するようにしてもよい。
【００２４】
以上のようにして無線通信端末１から出力されたイベントログは、無線通信端末１の動作状況の分析等に利用する他、例えば、新たな基地局３の設置位置の検討材料として利用することもできる。すなわち、各無線通信端末１から収集したイベントログに記録された受信感度の情報に基づいて感度の弱い地域を特定し、新たな基地局３の設置候補にするという具合である。勿論、その他の種々な用途にイベントログを利用することができる。
【００２５】
本例では、無線通信端末１が接続される外部機器として、購入者認証機能を備えたタバコの自動販売機２を例に説明したが、他の種々の分野で用いられる外部機器が無線通信を行うために、本発明に係る無線通信端末１を接続することができる。
例えば、小包等の配達物に付されたバーコードの読み取り機能を備えたハンディターミナルに無線通信端末１を接続し、読み取ったバーコード情報に基づく配達実績OLE_LINK1データOLE_LINK1を配達管理局に無線送信することができる。また、例えば、重機やタクシー・バス等の車輌に無線通信端末１を接続し、ＧＰＳで取得した車輌の位置データを車輌管理局に無線送信することができる。また、例えば、ガスや水道等の使用量の検出装置に無線通信端末１を接続し、検出した使用量データをガス会社や水道会社等に無線送信することができる。
【００２６】
ここで、本例の無線通信端末１は、各種演算処理を行うＣＰＵ、ＣＰＵの作業領域となるＲＡＭ、基本的な制御プログラムを記憶するＲＯＭ、本発明に係る各機能を実現するためのプログラム等を記憶する内部メモリ、等のハードウェア資源を有するコンピュータで構成されている。
そして、本発明に係るプログラムを内部メモリから読み出してＲＡＭに展開し、これをＣＰＵにより実行させることで、本発明に係る計時手段（主に計時部１４）、生成手段（主に生成部１５）、記憶手段（主に記憶部１６）、出力手段（主に制御部１８）、等の各機能手段を無線通信端末１のコンピュータに実現している。
なお、本発明に係る無線通信端末１の各機能手段は、上記のようなソフトウェア構成により実現する態様に限られず、専用のハードウエアモジュールで構成してもよい。
【図面の簡単な説明】
【００２７】
【図１】本発明の一実施形態に係る無線通信システムを概略的に示す図である。
【図２】本発明の一実施形態に係る無線通信端末の機能ブロック図である。
【図３】本発明の一実施形態に係る無線通信端末の起動時の処理フローを示す図である。
【図４】本発明の一実施形態に係るイベントログを例示する例である。
【図５】本発明の一実施形態に係る時間変換処理を説明する図である。
【図６】本発明の一実施形態に係る時間変換処理を説明する図である。
【符号の説明】
【００２８】
１：無線通信端末、  ２：外部機器、
３：基地局、  ４：認証管理サーバ、
５：ログ管理サーバ、
１１：アンテナ、  １２：送信部、
１３：受信部、  １４：計時部、
１５：生成部、  １６：記憶部、
１７：入出力部、  １８：制御部、
２１：電源、  ２２：入出力部、
２３：記憶部、  ２４：表示部、
２５：操作部、  ２６：制御部
【図１】
2009081764.tif 000003
【図２】
2009081764.tif 000004
【図３】
2009081764.tif 000005
【図４】
2009081764.tif 000006
【図５】
2009081764.tif 000007
【図６】
2009081764.tif 000008